(57)【特許請求の範囲】
【請求項１】
スチーム発生装置２１を内蔵したブラシ台部３の外表面一側に、ブリッスル４を備えたブラシベース５が張設されており、
ブラシベース５にスチーム吐出孔６が設けられており、
スチーム発生装置２１は、ブラシ台部３の先端に抜き差し自在に装着される給水タンク２２と、ヒータケース２５内にヒータエレメント２６が封入されたヒータ２３と、給水タンク２２内の水をヒータ２３側へ供給する吸水体２４とを含み、
ブラシ台部３の内部に取付けた筒状のヒータホルダ３０内に、ヒータ２３が密封されており、
吸水体２４から発散するスチームをブラシベース５のスチーム吐出孔６に導き出すために、ブラシベース５で塞がれるブラシ台部３の一部に開口３９を設けるとともに、ヒータホルダ３０の周壁の前記開口３９に面する部分に開口４０を設けてあるスチームヘアーブラシにおいて、
ヒータケース２５には、ヒータ２３の温度制御を行う温度センサ５１が、ヒータ２３のスチーム吐出側に寄せて付けられており、
ヒータホルダ３０には、ヒータ２３のスチーム吐出側とは反対側に温度過昇防止用の安全素子５３が付けられていることを特徴とするスチームヘアーブラシ。
【発明の詳細な説明】
【０００１】
【産業上の利用分野】
本発明はスチーム発生装置で発生したスチームをブラシ台部から吐き出すスチームヘアーブラシに関する。
【０００２】
【従来の技術】
この種のスチームヘアーブラシは頭髪を軟化してくせ直しをしたり、頭髪に水分を供給し、うるおいを与えていたわりながらブラッシングするときに好適に使用される。このようなスチームヘアーブラシは、例えば、実公昭５３−１７９５６号公報や特公昭６２−４０００４号公報などで公知である。
【０００３】
【発明が解決しようとする課題】
この種のスチームヘアーブラシは、ショートヘアである場合は単位時間当たりのスチーム発生量は少なくてすみ、また水道水の水だけのスチームを発生させるものでは蒸発熱が低くてすむのであるが、ロングヘアーであったり、トリートメントローション（沸点が１８０℃以上）のスチームを発生させる場合はスチーム発生量を増やす必要があり、また蒸発熱を上げる必要がある。
しかし、スチーム発生量を増やしたり、蒸発熱を大にするためには安全性を配慮する必要が生じてくる。
【０００４】
そこで本発明は、上記要望に応えるべくなされたもので、こうしたスチームヘアーブラシの安全性を確保することを目的とする。
【０００５】
【課題を解決するための手段】
本発明は、図示例のようにスチーム発生装置２１を内蔵したブラシ台部３の外表面の一側に、ブリッスル４を備えたブラシベース５を張設し、スチーム発生装置２１は、ヒータ２３が吸水体２４と接触してスチームをブラシベース５に向けて吐き出すようにしてなるスチームヘアーブラシにおいて、ヒータ２３の温度制御を行う温度センサ５１をヒータ２３のスチーム吐出側に寄せて付け、ヒータ２３のスチーム吐出側とは反対側に温度過昇防止用の安全素子５３を付けてあることを特徴とする。
【０００６】
【作用】
ヒータ２３のスチーム吐出側に寄せて付けた温度センサ５１は、スチームによる著しい温度変化にもよく追随してヒータ２３を所定温度に保持することができる。
ヒータ２３のスチーム吐出側とは反対側に付けた安全素子５３は、スチームによる著しい温度変化（熱的ショック）に影響を受けることなく、過熱防止作動を行う。
【０００７】
【実施例】
本発明に係るスチームヘアーブラシの一実施例を図面に基づき説明する。
図２および図３において、このヘアーブラシはプラスチック製の上下の分割ケース１ａ・１ｂを突き合わせてなる本体ケース１に細長い中空状の柄部２と、該柄部２の先端に一体に連設した中空状のブラシ台部３とを形成している。
ブラシ台部３の外周面上半部にはブリッスル４を備えたブラシベース５を取付ける。図１および図４に示すように、ブラシベース５は耐熱性、耐候性、撥水性に優れるシリコンゴム等の弾性材料からなり、そのほぼ中央部にスチーム吐出孔６を数個（図示例では４個）を設け、スチーム吐出孔６の周辺に多数の孔７を前後左右に所定ピッチで列設し、各孔７に別体にプラスチック成形されたブリッスル４の基部に設けた上下の鍔１０・１１間のくびれ部４ａを通すことによりブリッスル４が前後左右に所定ピッチで上下方向に抜け止め状に植設されている。
【０００８】
このブラシベース５は断面円弧状に曲げてブラシ台部３のほぼ平坦な外表面上に空間Ｓを形成するよう張設するとともに、その周縁部をブラシ台部３の外表面上に環状のブラシ押え部材１２で押し付けて重合固定する。
図６に示すように、ブラシベース５の周縁部はその全周にわたって小さい孔１３を有し、この孔１３にブラシ押え部材１２の内面に設けた爪１４を挿入係合させる。ブラシ押え部材１２は係合爪１５およびねじボス１６を有し、この係合爪１５をブラシ台部３の孔１７に抜止め状に差し込み係合するとともに、ねじボス１６にブラシ台部３の孔１８からねじ１９をねじ込むことによりブラシ台部３にブラシ押え部材１２がブラシベース５を押さえ状態に一体的に結合される（図１参照）。
【０００９】
一方、ブラシ台部３の内部にはスチーム発生装置２１を組み込む。スチーム発生装置２１は、図１および図４に示すように、ブラシ台部３の先端に抜き差し自在に装着する給水タンク２２と、ヒータ２３と、給水タンク２２内の水をヒータ２３側へ供給する吸水体２４とからなる。ヒータ２３は、アルミダイキャストや銅、真鍮などの熱伝導性に優れる材料からなるヒータケース２５内にヒータエレメント２６を封入してなる。ヒータエレメント２６はヒータボビン２６ａにヒータ線２６ｂを巻付けてなり、この周りに絶縁体２７を充填し、シリコン接着剤２８でエンドシールしてなる。ヒータエレメント２６としては、そのほかに、例えば正特性サーミスタを用いることもできる。
【００１０】
このヒータ２３はブラシ台部３の内部にビス２９で取付ける筒状のヒータホルダ３０の内部に防水密封される。図３に示すように、ヒータ２３のヒータエレメント２６から後方へ導き出されるリード線３１は柄部２の後端に装着した電源コード３２に回路基板３３およびスイッチ３４を介して接続している。
【００１１】
図４において、ヒータホルダ３０の前端の開口部には、給水タンク２２の給水筒口２２ａが挿入されるとともに、給水筒口２２ａにＯリング３５を介して抜き差し自在に挿入した吸水体ホルダ３６がパッキン体３７を介して挿入される。吸水体ホルダ３６には耐熱ナイロン等からなる吸水体２４を挿通保持し、この吸水体２４の吸水体ホルダ３６からの露出部はヒータケース２５の前端部に直接に、またはヒータケース２５に被せた別の吸水体３８を介して当接させている。したがって、ヒータエレメント２６の発熱により、ヒータケース２５の表面が加熱されて吸水体２４・３８に伝達され、これら吸水体２４・３８に含まれている水、またはトリートメントローション等の薬剤を加熱してスチームを発生する。
【００１２】
吸水体２４・３８から発散するスチームはヒータホルダ３０の内部からブラシベース５のスチーム吐出孔６にまで導いて吐き出す。そのために、図１、図４および図６に示すように、ブラシベース５で覆われるブラシ台部３のほぼ平坦な外表面一部に開口３９を、またヒータホルダ３０の周壁の前記開口３９に面する部分に開口４０をそれぞれ設け、これら開口３９・４０に、スチームをブラシベース５のスチーム吐出孔６に導いて吐き出すスチームガイド体４１を装着する。
スチームガイド体４１は耐熱性、耐薬品性、剛性に優れるＰＰＳ樹脂（ポリフェニレンサルファイド）やＰＢＴ樹脂（ポリブチレンテレフタレート）等の材料からなり、ブラシ台部３の開口３９の四角形状に対応する断面逆皿形状に形成されてその内部にスチーム導出空間を下方開放状態に形成しており、その上壁４１ａから前後４個のスチーム吐出口４２を上向きに突設するとともに、その周壁下端からフランジ４３を外向きに張出し形成している。
【００１３】
このスチームガイド体４１は、図１および図４に示すようにそのスチーム吐出口４２をブラシベース５のスチーム吐出孔６に内嵌させるとともに、そのフランジ４３をブラシ台部３の開口３９周縁の内面とヒータホルダ３０の開口４０周縁の上面との間にシリコン製のパッキン４４を介して嵌合させることによりブラシ台部３の外表面から上方突出状に固定される。
【００１４】
吸水体２４とヒータケース２５との接触部で発生するスチームはヒータホルダ３０の開口４０からスチームガイド体４１内のスチーム導出空間およびスチーム吐出口４２を経てスチーム吐出孔６に吐出する。
【００１５】
図１、図５および図７において、上記ヒータ２３を所定温度、例えばトリートメントローションのスチームを発生させる場合１７９〜１８０℃に制御するために、ヒータ２３の回路に結線されるサーミスタや熱電対などからなる温度センサ５１をヒータケース２５の後端面に設けた孔５２に挿入する。この場合、スチームによる著しい温度変化に追随できるように温度センサ５１はヒータケース２５のスチーム吐出側に寄せて配置している。
また、上記温度センサ５１が故障等で作動しなかった場合、あるいは回路故障等を原因とする異常過熱による部材焼損事故防止のために、温度過昇防止用の温度ヒューズやバイメタルなどかなる安全素子５３をヒータホルダ３０の外表面上に設けた凹溝５４に挿入固定する。この安全素子５３は、ヒータホルダ３０上のスチームによる頻繁な温度変化に影響の少ない箇所、すなわち図１または図８に示すようにヒータ２３のスチーム吐出側とは反対側になるよう配置させることによりできる限り熱的ショックの影響を少なくする。
【００１６】
ヒータホルダ３０がヒータケース２５と同様にアルミダイキャストや銅などの熱伝導性に優れる材料で構成される場合は、このヒータホルダ３０に温度センサ５１を安全素子５３と共に上記した両者の配置関係下で付けてもよい。またヒータホルダ３０を省略してヒータケース２５をブラシ台部３の内部に断熱材を介して取付ける場合は、そのヒータケース２５に温度センサ５１と安全素子５３の両者を上記した配置関係下で付けることもできる。
なお、本発明は本体ケース１の内部にブラシベース５部分から温風もしくは冷風を選択的に供給する送風装置を備えたタイプのスチームブラシであってもよい。
【００１７】
【発明の効果】
以上説明したように本発明によれば、ヒータ温度の制御を行う温度センサ５１をヒータ２３のスチーム吐出側に寄せて付け、ヒータ２３のスチーム吐出側とは反対側に温度過昇防止用の安全素子５３を付けてある。したがってヒータ温度の制御のみならず、温度過昇による部材焼損防止をも図ることができて安全性に優れる。とくに、温度センサ５１はスチームによる激しい温度変化にも追随してヒータ温度を制御でき、また安全素子５３は熱的ショックの影響を受けることなく耐久性に優れる。
【図面の簡単な説明】
【図１】図２におけるＡ−Ａ線断面図である。
【図２】全体の平面図である。
【図３】図２におけるＢ−Ｂ線断面図である。
【図４】図３における要部の拡大断面図である。
【図５】要部における拡大底面図である。
【図６】主要部の分解斜視図である。
【図７】ヒータを内蔵したヒータホルダの外観斜視図である。
【図８】他の実施例を示すヒータホルダおよびヒータの正面図である。
【符号の説明】
１  本体ケース
２  柄部
３  ブラシ台部
４  ブリッスル
５  ブラシベース
２１  スチーム発生装置
２３  ヒータ
２４  吸水体
５１  温度センサ
５３  安全素子
【図１】
0003658419.tif 000002
【図２】
0003658419.tif 000003
【図３】
0003658419.tif 000004
【図４】
0003658419.tif 000005
【図５】
0003658419.tif 000006
【図６】
0003658419.tif 000007
【図７】
0003658419.tif 000008
【図８】
0003658419.tif 000009